(57)【要約】【課題】  ウエストサイズ調節機構付衣服において、見た目は通常のパンツ等の衣服と変わることなく、連続的にウエストサイズを変化させられる状態とウエストサイズを固定した状態とを容易に切り替えられること。【解決手段】  婦人用パンツ１は、上前ベルト部２に通常のボタンホール６が設けられ、下前ベルト部３に第２のボタンホール５が設けられて、下前ベルト部３内部に設けられた移動布に縫付けられたボタン４が第２のボタンホール５から外へ出ており、ボタン４は第２のボタンホール５内で移動可能となっている。このボタン４を上前ベルト部２のボタンホール６に係合してファスナーを閉じれば、第２のボタンホール５は上前ベルト部２の下に隠れ、婦人用パンツ１は連続的にウエストサイズが変化してゆったりとした着用感が得られる。また、婦人用パンツ１Ｂ〜１Ｅはカギホック８をメンカン７に嵌めることによってウエストサイズを固定できる。【選択図】        図１
2005139595.tif 000002
【特許請求の範囲】
【請求項１】
衣服を分離自在に結合し、前記衣服のウエストサイズを所定の範囲で調節自在とする結合具と、
前記結合具により前記衣服のウエストサイズを調節自在とする範囲で形状変化を自在とし、前記衣服の上前に設けられた上下方向に伸びるタックと、
前記衣服の上前に設けられたタックに縫代となる一方のファスナーテープが縫付けられ、かつ、前記衣服の下前に縫代となる他方のファスナーテープが縫付けられたファスナーと、
前記衣服の下前のベルト部に弾性材を介してベルト方向に移動可能に取り付けられた所定長さの移動布と、
前記移動布に所定長さの糸足または根巻き（ボタンの糸足に硬く巻き付けて止めたもの）をとって縫付けられたボタンと、
前記衣服の下前のベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記一方のファスナーテープの上端はスライディングテープ及びゴムテープによって前記衣服の上前の上端に縫付けられ、前記スライディングテープは外方向に傾斜した状態で縫付けられており、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項２】
衣服を分離自在に結合し、前記衣服のウエストサイズを所定の範囲で調節自在とする結合具と、
衣服の下前のベルト部に弾性材を介してベルト方向に移動可能に取り付けられた所定長さの移動布と、
前記移動布に所定長さの糸足または根巻きをとって縫付けられたボタンと、
前記衣服の下前のベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、
前記結合具は、前記移動布に縫付けられ前記第２のボタンホールを通して表側に出されたボタンと、前記衣服の上前のベルト部に設けられたボタンホールとからなることを特徴とするウエストサイズ調節機構付衣服。
【請求項３】
前記移動布の上下方向への振れと前記第２のボタンホールからの噴き出しを防止するために前記下前のベルト部に縦テープの両端を縫付けて、前記移動布の裏側に横方向に一または二以上の噴き出し防止テープを前記縦テープの下を横方向に移動可能に通して縫付けたことを特徴とする請求項１または請求項２に記載のウエストサイズ調節機構付衣服。
【請求項４】
前記移動布の上下方向への振れと前記第２のボタンホールからの噴き出しを防止するために前記下前のベルト部の前記上前のベルト部に設けられたボタンホールの位置に横テープの両端を縫付けて、前記移動布の裏側に縦方向に一または二以上の噴き出し防止テープを前記横テープの下を横方向に移動可能に通して縫付けたことを特徴とする請求項１または請求項２に記載のウエストサイズ調節機構付衣服。
【請求項５】
前記移動布の裏側に「く」の字形に折り曲げたテープを折り曲げ線において縫付け、前記テープの両端は前記上前のベルト部に設けられたボタンホールの位置において前記下前のベルト部に縫付け、前記縫付けられた折り曲げ線の左右の余ったテープはタック状に折り畳んだことを特徴とする請求項１または請求項２に記載のウエストサイズ調節機構付衣服。
【請求項６】
前記移動布の裏側の前記「く」の字形に折り曲げたテープの下を一または二以上の横テープを通して前記横テープの両端を前記移動布の裏側に縫付けたことを特徴とする請求項５に記載のウエストサイズ調節機構付衣服。
【請求項７】
前記結合具は、前記移動布に縫付けられ前記第２のボタンホールを通して表側に出された前記ボタンと前記衣服の上前のベルト部に設けられた前記ボタンホールと、前記上前のベルト部に取付けられた受構成体または鉤構成体と前記衣服の下前のベルト部の裏側に取付けられた鉤構成体または受構成体とからなることを特徴とする請求項１乃至請求項６のいずれか１つに記載のウエストサイズ調節機構付衣服。
【請求項８】
前記弾性材には、その最大伸びを制限する伸び止め材を並設したことを特徴とする請求項１乃至請求項７のいずれか１つに記載のウエストサイズ調節機構付衣服。
【請求項９】
前記移動布と前記伸び止め材としてベルト部表地と同系色の裏地を用いたことを特徴とする請求項１乃至請求項８のいずれか１つに記載のウエストサイズ調節機構付衣服。
【請求項１０】
前記衣服の下前のベルト部の上半分及び／または下半分及び／または移動布を硬めの芯で補強したことを特徴とする請求項１乃至請求項９のいずれか１つに記載のウエストサイズ調節機構付衣服。
【発明の詳細な説明】
【技術分野】
【０００１】
本発明は、ズボン（パンツ）、スカートのウエスト部分の分割部分を結合するボタンを取り付けたウエストサイズ調節機構付衣服に関するものであり、特に、着用する人の衣服のウエストサイズを調節できるウエストサイズ調節機構付ズボン、ウエストサイズ調節機構付スカート等のウエストサイズ調節機構付衣服に関するものであり、衣服全般に適用できるものである。
【背景技術】
【０００２】
本発明者は、先に、着用する人のウエストサイズに合わせてウエストサイズを調節できるとともに、着用する人のウエストサイズだけでなく腰近傍の寸法が多少変化しても、着用感や見栄えを損なわないズボン、スカート等のウエストサイズ調節機構付衣服であって、結合具としてボタン・ドット釦等も使用することができ、連続的にウエストサイズを変化させることができる状態とウエストサイズを固定した状態とを容易に切り替えられるウエストサイズ調節機構付衣服にかかる発明についての出願をしている（特許文献１）。
【０００３】
この発明のウエストサイズ調節機構付衣服においては、中央タブをゴムテープを介してズボン（パンツ）の下前のベルト部に取付け、ゴムテープはオーバーベルトで隠してベルト方向に移動可能な中央タブにボタンやドット釦等を取付け、上前のベルト部に対応するボタンホールやドット釦を設けて、さらに下前のベルト部にも直接ボタンやドット釦等を取付けることによって、中央タブのボタンやドット釦等を上前のベルト部のボタンホールやドット釦等に嵌合させた場合には、ウエストサイズはゴムテープが伸縮可能な範囲内でフリーサイズとなり、ゆったりとした着用感が得られる。また、下前のベルト部に直接取付けられたボタンやドット釦等を上前のベルト部のボタンホールやドット釦等に嵌合させた場合には、ウエストサイズが固定された状態となる。
【特許文献１】特開２００２−３３９１１３号公報
【発明の開示】
【発明が解決しようとする課題】
【０００４】
しかしながら、上記特許文献１に記載の発明においては、中央タブやオーバーベルトといった余分な部材が外から見えるため、見た目がすっきりとせず、人によっては見栄えを損なうと感じるという問題点があった。
【０００５】
そこで、本発明は、見た目は通常のズボン（パンツ）等の衣服と変わることなく、連続的にウエストサイズを変化させることができる、さらには連続的にウエストサイズを変化させることができる状態とウエストサイズを固定した状態とを容易に切り替えることができるウエストサイズ調節機構付衣服の提供を課題とするものである。
【課題を解決するための手段】
【０００６】
請求項１の発明にかかるウエストサイズ調節機構付衣服は、衣服を分離自在に結合し、前記衣服のウエストサイズを所定の範囲で調節自在とする結合具と、前記結合具により前記衣服のウエストサイズを調節自在とする範囲で形状変化を自在とし、前記衣服の上前に設けられた上下方向に伸びるタックと、前記衣服の上前に設けられたタックに縫代となる一方のファスナーテープが縫付けられ、かつ、前記衣服の下前に縫代となる他方のファスナーテープが縫付けられたファスナーと、前記衣服の下前のベルト部に弾性材を介してベルト方向に移動可能に取り付けられた所定長さの移動布と、前記移動布に所定長さの糸足または根巻きをとって縫付けられたボタンと、前記衣服の下前のベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記一方のファスナーテープの上端はスライディングテープ及びゴムテープによって前記衣服の上前の上端に縫付けられ、前記スライディングテープは外方向に傾斜した状態で縫付けられており、前記結合具は、前記移動布に縫付けられ前記第２のボタンホールを通して表側に出されたボタンと、前記衣服の上前のベルト部に設けられたボタンホールとからなるものである。
【０００７】
請求項２の発明にかかるウエストサイズ調節機構付衣服は、衣服を分離自在に結合し、前記衣服のウエストサイズを所定の範囲で調節自在とする結合具と、衣服の下前のベルト部に弾性材を介してベルト方向に移動可能に取り付けられた所定長さの移動布と、前記移動布に所定長さの糸足または根巻きをとって縫付けられたボタンと、前記衣服の下前のベルト部表地に設けられ、前記ボタンが裏側から表側に通されて、前記弾性材の弾性力に抗して前記移動布がベルト方向に移動するのに伴って前記ボタンが移動可能な第２のボタンホールとを具備し、前記結合具は、前記移動布に縫付けられ前記第２のボタンホールを通して表側に出されたボタンと、前記衣服の上前のベルト部に設けられたボタンホールとからなるものである。
【０００８】
請求項３の発明にかかるウエストサイズ調節機構付衣服は、請求項１または請求項２の構成において、前記移動布の上下方向への振れと前記第２のボタンホールからの噴き出しを防止するために前記下前のベルト部に縦テープの両端を縫付けて、前記移動布の裏側に横方向に一または二以上の噴き出し防止テープを前記縦テープの下を横方向に移動可能に通して縫付けたものである。
【０００９】
請求項４の発明にかかるウエストサイズ調節機構付衣服は、請求項１または請求項２の構成において、前記移動布の上下方向への振れと前記第２のボタンホールからの噴き出しを防止するために前記下前のベルト部の前記上前のベルト部に設けられたボタンホールの位置に横テープの両端を縫付けて、前記移動布の裏側に縦方向に一または二以上の噴き出し防止テープを前記横テープの下を横方向に移動可能に通して縫付けたものである。
【００１０】
請求項５の発明にかかるウエストサイズ調節機構付衣服は、請求項１または請求項２の構成において、前記移動布の裏側に「く」の字形に折り曲げたテープを折り曲げ線において縫付け、前記テープの両端は前記上前のベルト部に設けられたボタンホールの位置において前記下前のベルト部に縫付け、前記縫付けられた折り曲げ線の左右の余ったテープはタック状に折り畳んだものである。
【００１１】
請求項６の発明にかかるウエストサイズ調節機構付衣服は、請求項５の構成において、前記移動布の裏側の前記「く」の字形に折り曲げたテープの下を一または二以上の横テープを通して前記横テープの両端を前記移動布の裏側に縫付けたものである。
【００１２】
請求項７の発明にかかるウエストサイズ調節機構付衣服は、請求項１乃至請求項６のいずれか１つの構成において、前記結合具は、前記移動布に縫付けられ前記第２のボタンホールを通して表側に出された前記ボタンと前記衣服の上前のベルト部に設けられた前記ボタンホールと、前記上前のベルト部に取付けられた受構成体または鉤構成体と前記衣服の下前のベルト部の裏側に取付けられた鉤構成体または受構成体とからなるものである。
【００１３】
請求項８の発明にかかるウエストサイズ調節機構付衣服は、請求項１乃至請求項７のいずれか１つの構成において、前記弾性材には、その最大伸びを制限する伸び止め材を並設したものである。
【００１４】
請求項９の発明にかかるウエストサイズ調節機構付衣服は、請求項１乃至請求項８のいずれか１つの構成において、前記移動布と前記伸び止め材としてベルト部表地と同系色の裏地を用いたものである。
【００１５】
請求項１０の発明にかかるウエストサイズ調節機構付衣服は、請求項１乃至請求項９のいずれか１つの構成において、前記衣服の下前のベルト部の上半分及び／または下半分及び／または移動布を硬めの芯で補強したものである。
【発明の効果】
【００１６】
請求項１の発明にかかるウエストサイズ調節機構付衣服は、ウエストサイズの変化に伴ってファスナーテープが移動できるように、ファスナーテープを縫付けるズボン等の上前にタックを設けるとともに、下前のベルト部に弾性材を介してベルト方向に移動可能に取り付けられた所定長さの移動布にボタンを縫付け、下前のベルト部表地に設けられた第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、第２のボタンホールは、ボタンを上前のベルト部のボタンホールに係合することによって隠れるので、見た目は通常の衣服と何等変わるところがない。しかも、ウエストサイズの変化に伴ってファスナーテープが移動するため、ウエスト近傍に皺等が生じることもない。
【００１７】
ここで、一方のファスナーテープの上端は、上前ベルト部の裏地の内側でスライディングテープ及びゴムテープによって上前の上端に縫付けられている。スライディングテープは、上前の端縁の外方向に向かって傾斜した状態で上前ベルト部の内側に挟んで縫付けられている。そして、上前ベルト部には穴かがりされたボタンホールが設けられるが、ボタンホールは上前ベルト部内に取付けられたスライディングテープ及びゴムテープの一部を貫通しており、ボタンホールの穴かがりによってスライディングテープ及びゴムテープも共に縫付けられてしまう。しかし、本発明のウエストサイズ調節機構付衣服においては、一方のファスナーテープがスライディングテープのみでなくゴムテープによっても支持されているため、タックの折り重なり部分が引き延ばされる際には、ゴムテープの伸縮力によって一方のファスナーテープもそれにつれて移動することができる。このように、上前ベルト部にボタンホールを設けて穴かがりをしても一方のファスナーテープの移動を妨げることがない。
【００１８】
このようにして、見た目は通常の衣服と変わることなく、見栄え良く連続的にウエストサイズを変化させることができるウエストサイズ調節機構付衣服となる。
【００１９】
請求項２の発明にかかるウエストサイズ調節機構付衣服は、下前のベルト部に弾性材を介してベルト方向に移動可能に取り付けられた所定長さの移動布にボタンを縫付け、下前のベルト部表地に設けられた第２のボタンホールからボタンを表に出し、上前のベルト部に設けられたボタンホールにボタンを係合することによって、弾性材が伸縮可能な範囲内でボタンが第２のボタンホール内を移動してフリーサイズとなり、ゆったりとした着用感が得られる。そして、第２のボタンホールは、ボタンを上前のベルト部のボタンホールに係合することによって隠れるので、見た目は通常の衣服と何等変わるところがない。
【００２０】
このようにして、見た目は通常の衣服と変わることなく、見栄え良く連続的にウエストサイズを変化させることができるウエストサイズ調節機構付衣服となる。
【００２１】
請求項３の発明にかかるウエストサイズ調節機構付衣服は、下前のベルト部に縦テープの両端を縫付けて、移動布の裏側に横方向に一または二以上の噴き出し防止テープを縦テープの下を横方向に移動可能に通して縫付けたものである。したがって、ボタンに無理な力が掛かって上方に引張られても、ボタンが縫付けられている移動布や弾性材が第２のボタンホールから外へ引き出されてしまう所謂「噴き出し」が防止される。
【００２２】
このようにして、見栄え良く連続的にウエストサイズを変化させることができるとともに噴き出しを防止することができるウエストサイズ調節機構付衣服となる。
【００２３】
請求項４の発明にかかるウエストサイズ調節機構付衣服は、下前のベルト部の上前のベルト部に設けられたボタンホールの位置に横テープの両端を縫付けて、移動布の裏側に縦方向に一または二以上の噴き出し防止テープを横テープの下を横方向に移動可能に通して縫付けたものである。したがって、ボタンに無理な力が掛かって上方に引張られても、ボタンが縫付けられている移動布や弾性材が第２のボタンホールから外へ引き出されてしまう噴き出しが防止される。
【００２４】
このようにして、見栄え良く連続的にウエストサイズを変化させることができるとともに噴き出しを防止することができるウエストサイズ調節機構付衣服となる。
【００２５】
請求項５の発明にかかるウエストサイズ調節機構付衣服は、移動布の裏側に「く」の字形に折り曲げたテープを折り曲げ線において縫付け、テープの両端は上前のベルト部に設けられたボタンホールの位置において下前のベルト部に縫付け、縫付けられた折り曲げ線の左右の余ったテープはタック状に折り畳んだものである。これによって、ボタンが第２のボタンホール内でウエストサイズが緩む方向に引張られたとき、テープの中央のタック状部分が上下に分散されるので、遊びが少なくなる。したがって、ボタンを無理に第２のボタンホール外へ引張っても、噴き出しが起こり難い。また、テープの中央部分がタック状に折りたたまれているため、弾性材の引張り力が強い場合の戻りが良くなる。
【００２６】
このようにして、見栄え良く連続的にウエストサイズを変化させることができるとともに噴き出しを防止することができるウエストサイズ調節機構付衣服となる。
【００２７】
請求項６の発明にかかるウエストサイズ調節機構付衣服は、移動布の裏側の「く」の字形に折り曲げたテープの下を一または二以上の横テープを通して横テープの両端を移動布の裏側に縫付けたものである。したがって、移動布の移動がよりスムーズになるとともに、より噴き出しが起こり難くなる。
【００２８】
このようにして、見栄え良く連続的にウエストサイズを変化させることができるとともに噴き出しを防止することができるウエストサイズ調節機構付衣服となる。
【００２９】
請求項７の発明にかかるウエストサイズ調節機構付衣服は、結合具として移動布に縫付けられ第２のボタンホールを通して表側に出されたボタンと上前のベルト部に設けられたボタンホールと、上前のベルト部に取付けられた受構成体または鉤構成体と下前のベルト部の裏側に取付けられた鉤構成体または受構成体とを併設したものである。
【００３０】
したがって、ボタンとボタンホールのみを嵌合させた場合には、弾性材の伸縮可能な範囲内で連続的にウエストサイズを変化させることができる（フリーサイズ）。また、下前または上前のベルト部に取り付けられた鉤構成体を上前または下前のベルト部に取り付けられた受構成体に係止した場合には、ウエストサイズは一定のサイズに固定される。
【００３１】
このようにして、見た目は通常の衣服と変わることなく、連続的にウエストサイズを変化させることができるフリーサイズ状態とウエストサイズを固定した状態とを容易に切り替えることができるウエストサイズ調節機構付衣服となる。
【００３２】
請求項８の発明にかかるウエストサイズ調節機構付衣服は、弾性材には、その最大伸びを制限する伸び止め材を並設したものである。
【００３３】
したがって、ボタンが移動可能な第２のボタンホールの長さ以上に引張られないように弾性材の伸びの長さを制限することができるから、皺がよったりしてウエスト周りの見栄えが損なわれることがない。また、弾性材に過度の引っ張り力がかかるのを防止することができるから、弾性材の寿命が長くなる。
【００３４】
このようにして、見た目は通常の衣服と変わることなく、連続的にウエストサイズを変化させることができるとともに弾性材の寿命を長くすることができるウエストサイズ調節機構付衣服となる。
【００３５】
請求項９の発明にかかるウエストサイズ調節機構付衣服は、移動布と伸び止め材としてベルト部表地と同系色の裏地を用いたものである。裏地は滑りが良く薄手なので嵩張らないため、弾性材の伸縮と移動布の移動が極めてスムーズに行われる。また、ベルト部表地と同系色としたため、衣服の前明を開いて第２のボタンホールが見えた場合でも内部の移動布や伸び止め材が目立たないため、見栄えを損なわずに済む。
【００３６】
このようにして、弾性材の伸縮と移動布の移動が極めてスムーズに行われ、第２のボタンホールが目立たないウエストサイズ調節機構付衣服となる。
【００３７】
請求項１０の発明にかかるウエストサイズ調節機構付衣服は、衣服の下前のベルト部の上半分及び／または下半分及び／または移動布を硬めの芯で補強したものである。これによって、移動布の移動がスムーズになり、また移動布が弾性材の伸びる方向に移動したときに衣服の下前のベルト部に皺がよることが防止される。さらに、上半分及び／または移動布を硬めの芯で補強することによって噴き出しが防止される。
【００３８】
このようにして、弾性材の伸縮と移動布の移動が極めてスムーズに行われ、見た目は通常の衣服と変わることなく、連続的にウエストサイズを変化させることができるウエストサイズ調節機構付衣服となる。
【発明を実施するための最良の形態】
【００３９】
以下、本発明の実施の形態について、図面を参照しつつ説明する。本発明のウエストサイズ調節機構付衣服は、主に婦人用ズボン（婦人用パンツ）に適用されるものであるが、紳士用ズボンにも適用することができる。
実施の形態１
【００４０】
まず、本発明の実施の形態１について、図１乃至図１２を参照して説明する。本発明の実施の形態１は、本発明のウエストサイズ調節機構付衣服を主に婦人用パンツに適用した場合を例示するものである。
【００４１】
図１（ａ）は本発明の実施の形態１にかかるウエストサイズ調節機構付衣服の前明を外した状態を示す部分正面図、（ｂ），（ｃ），（ｄ），（ｅ）は本発明の実施の形態１にかかるウエストサイズ調節機構付衣服の様々なバリエーションを示す図である。図２は本発明の実施の形態１にかかるウエストサイズ調節機構付衣服の上前部分の構造を示す説明図である。図３は本発明の実施の形態１にかかるウエストサイズ調節機構付衣服における上前部分に設けられたタックの構造を示す斜視図である。図４（ａ）は本発明の実施の形態１の変形例にかかるウエストサイズ調節機構付衣服の前明を外した状態を示す部分正面図、（ｂ），（ｃ），（ｄ），（ｅ）は本発明の実施の形態１の変形例にかかるウエストサイズ調節機構付衣服の様々なバリエーションを示す図である。
【００４２】
図５（ａ）は本発明の実施の形態１にかかるウエストサイズ調節機構付衣服の下前ベルト部の製造方法を示す図、（ｂ）は移動布ユニットを作製するための部品を示す図である。図６（ａ），（ｂ），（ｃ）は本発明の実施の形態１にかかるウエストサイズ調節機構付衣服の移動布ユニットの作製方法を裏側から見て示す図である。図７（ａ）は本発明の実施の形態１にかかるウエストサイズ調節機構付衣服の移動布ユニットの変形例を示す図、（ｂ）は別の変形例を示す図である。図８（ａ）は本発明の実施の形態１にかかるウエストサイズ調節機構付衣服の噴き出し防止テープの取付け方を示す図、（ｂ），（ｃ）は噴き出し防止テープの変形例を示す図である。
【００４３】
図９（ａ）は本発明の実施の形態１にかかるウエストサイズ調節機構付衣服の移動布ユニットを取付けた状態を示す図、（ｂ）はボタンの根巻きの高さを示す図である。図１０（ａ）は本発明の実施の形態１にかかるウエストサイズ調節機構付衣服の移動布ユニットと噴き出し防止テープの関係を示す図、（ｂ）はボタンの付いた移動布を弾性材の引張り力に抗して伸び止め材の長さ一杯まで移動させた状態を示す図、（ｃ）はその斜視図である。図１１（ａ）は本発明の実施の形態１にかかるウエストサイズ調節機構付衣服の噴き出し防止テープを縫付けたところを示す図、（ｂ）はボタンを第２のボタンホールから外へ出したところを示す図である。図１２（ａ）は本発明の実施の形態１にかかるウエストサイズ調節機構付衣服の上前ベルト部に持ち出しを付けた例を示す斜視図、（ｂ）は上前ベルト部にポイントを設けた例を示す斜視図、（ｃ）はベルト幅が３ｃｍ未満の場合の上前ベルト部の構成を示す部分図である。
【００４４】
図１（ａ）に示されるように、本実施の形態１にかかるウエストサイズ調節機構付衣服としての婦人用パンツ１は、上前ベルト部２に通常のボタンホール（バチ穴かがり（眠り穴かがりの１種）またはハトメ穴かがり）６が設けられ、下前ベルト部３に第２のボタンホール（バチ穴かがりまたはハトメ穴かがり）５が設けられて、下前ベルト部３内部に設けられた移動布に縫付けられたボタン４（直径１．５ｃｍ）が第２のボタンホール５から外へ出ており、ボタン４は第２のボタンホール５内で移動可能となっている。このボタン４を上前ベルト部２のボタンホール６に係合して、下前にファスナーテープＦａが縫付けられたファスナーＦｂを上前に縫付けられた図示しないファスナーと合わせて閉じることによって、婦人用パンツ１は連続的にウエストサイズが変化してゆったりとした着用感が得られる。そして、第２のボタンホール５は、ボタン４を上前ベルト部２のボタンホール６に係合することによって隠れるので、見た目は通常のパンツと何等変わるところがない。しかも、後で詳しく説明するように、ウエストサイズの変化に伴って上前のファスナーテープが移動するため、ウエスト近傍に皺等が生じることもない。
【００４５】
図１（ｂ），（ｃ），（ｄ），（ｅ）は婦人用パンツ１のバリエーションを示すもので、図１（ｂ）に示されるように、婦人用パンツ１Ｂは下前ベルト部３に２．５ｃｍの持ち出しを付けて、その持ち出し部分に鉤構成体としてのカギホックの雄側（ホック）８を縫付け、対応する上前ベルト部２の裏側には受構成体としてのカギホックの雌側（メンカン）７を縫付けてあり、両者を嵌合させることによって連続的にウエストサイズが変化する状態から容易にウエストサイズが固定された状態に切り替えられる。なお、第２のボタンホール５の長さは１．５ｃｍであるため、第２のボタンホール５は上前ベルト部２に隠されて見えない。
【００４６】
図１（ｃ）に示されるように、婦人用パンツ１Ｃも下前ベルト部３に２．５ｃｍの持ち出しを付けて、同様にメンカン７とホック８が縫付けられており、さらに上前ベルト部２には三角形のポイント９を設けている。これによって、第２のボタンホール５の長さは２．０ｃｍであるが、ウエストサイズが変化して上前ベルト部２が移動しても、第２のボタンホール５はポイント９に隠されて外からは見えない。そして、メンカン７とホック８を嵌合させることによって連続的にウエストサイズが変化する状態から容易にウエストサイズが固定された状態に切り替えられる。
【００４７】
図１（ｄ）に示されるように、婦人用パンツ１Ｄも下前ベルト部３に２．５ｃｍの持ち出しを付けて、同様にメンカン７とホック８が縫付けられているが、第２のボタンホール５の長さが２．５ｃｍとさらに長くなっているにも関わらず、上前ベルト部２にはポイントが設けられていない。したがって、メンカン７とホック８を嵌合させた状態において、上前ベルト部２の下から第２のボタンホール５の一部が見えてしまう。しかし、この程度見えても気にならないという顧客も多いので、婦人用パンツ１Ｄにおいては敢えて第２のボタンホール５を隠すことはしていない。
【００４８】
図１（ｅ）に示されるように、婦人用パンツ１Ｅにおいては下前ベルト部３には持ち出しを付けていない代わりに、上前ベルト部２に４ｃｍの持ち出しを設けている。これによって、第２のボタンホール５を下前ベルト部３の端からずっと離れた位置に設けることができるので、下前ベルト部３の端にホック８を縫付けることができる。そして、対応する上前ベルト部２の裏側にメンカン７を縫付けて両者を嵌合させることによって、連続的にウエストサイズが変化する状態から容易にウエストサイズが固定された状態に切り替えられる。なお、第２のボタンホール５の長さは１．８ｃｍであるため、第２のボタンホール５は上前ベルト部２の持ち出し部分に隠されて見えない。
【００４９】
次に、本実施の形態１のウエストサイズ調節機構付衣服としての婦人用パンツ１，１Ｂ，１Ｃ，１Ｄ，１Ｅにおけるファスナーテープ移動機構について、図２及び図３を参照して説明する。なお、図２においては、上前ベルト部２に設けられるボタンホール６と取付けられるメンカン７は、図示省略されている。
【００５０】
図２に示されるように、本実施の形態１の婦人用パンツ１においては、上前裏側３１ａにタック（フラシ）３０を縦方向に設けて、このタック３０にファスナーテープＦａを縫付けている。図３に示すように、タック３０は、上前３１ａの生地を外側の折り返し部分３０ａと内側の折り返し部分３０ｂの２箇所で折り返すことによって、折り返し部分３０ａから折り返し部分３０ｂの区間で折り重なり部分を生ぜしめ、この折り重なり部分が引き延ばされることによって婦人用パンツ１のウエストサイズを調節自在とする範囲で形状変化を自在としたものである。図に示すように、この折り重なり部分はタック３０の上端で最も幅が大きく、下方に行くにしたがって小さくなり下端で消滅する。
【００５１】
図３に示すように、一方のファスナーテープＦａはタック３０の折り重なり部分の上側において、上前３１ａに縫付けられる。一方のファスナーテープＦａに沿って並ぶ複数のむしＦｂと噛み合う他方のファスナーテープＦａは、図示しない下前に縫付けられる。そして、婦人用パンツ１の前明は、各ファスナーテープＦａの複数のむしＦｂを噛み合わせて２つのファスナーテープＦａを結合するスライダーＦｃを上下動することによって開閉できるようになっている。
【００５２】
さらに、図２に示すように一方のファスナーテープＦａの上端は、上前ベルト部２の裏地の内側でスライディングテープ３２及びゴムテープ３２ａによって上前３１ａの上端に縫付けられている。スライディングテープ３２は、上前３１ａの端縁の外方向に向かって傾斜した状態で上前ベルト部２の内側に挟んで縫付けられている。ここで、上前ベルト部２には穴かがりされたボタンホール６（図示省略）が設けられるが、ボタンホール６は上前ベルト部２内に取付けられたスライディングテープ３２及びゴムテープ３２ａの一部を貫通しており、ボタンホール６の穴かがりによってスライディングテープ３２及びゴムテープ３２ａも共に縫付けられてしまう。しかし、本実施の形態１の婦人用パンツ１においては、一方のファスナーテープＦａがスライディングテープ３２のみでなくゴムテープ３２ａによっても支持されているため、タック３０の折り重なり部分が引き延ばされる際には、ゴムテープ３２ａの伸縮力によって一方のファスナーテープＦａもそれにつれて移動することができる。このように、上前ベルト部２にボタンホール６を設けて穴かがりをしても一方のファスナーテープＦａの移動を妨げることがない。
【００５３】
このようにファスナーテープＦａのタック３０に縫付けられた部分は、折り重なり部分による余長分の長さの範囲内で、図３において矢印で示すように、上前３１ａの端縁の外方向に向かって、引いて移動させることができる。即ち、タック３０がファスナーテープＦａを介して上前３１ａの端縁の外側に引張られることで、タック３０の折り重なり部分が引き延ばされ、ファスナーテープＦａを上前３１ａの端縁の外方向に向かって移動させることができる。また、上前３１ａに縫付けられているスライディングテープ３２は、上前３１ａの端縁の外方向に向かって傾斜した状態で上前ベルト部２の内側に挟んで縫付けられているので、ファスナーテープＦａのタック３０への縫付け部分が上前３１ａの端縁の外方向に向かって移動することが、ゆとり方向への移動となるから、その移動を妨げることがない。
【００５４】
タック３０によれば、スライダーＦｃを上げてファスナーＦで前明を閉じた状態において、婦人用パンツ１のウエストベルトを広げる方向に外力を加えると、ファスナーテープＦａの下にタック３０が形成されている領域で、タック３０の折り重なり部分を引き延ばせる長さの範囲内で婦人用パンツ１のウエストサイズが長くなり、ウエストベルトの下部もそのサイズが広くなる。これによって、着用する人の腰周り寸法に合わせてパンツ等の腰周り寸法を移動布によって調節し、同時に着用する人の腰の下部周りの寸法をタックによってファスナーテープを適宜動かすことによって調節することができる。
【００５５】
次に、本実施の形態１の変形例にかかるウエストサイズ調節機構付衣服としての婦人用パンツについて、図４を参照して説明する。
【００５６】
図４（ａ）に示されるように、本実施の形態１の変形例にかかる婦人用パンツ１１は、上前ベルト部２に通常のボタンホール（バチ穴かがりまたはハトメ穴かがり）６が設けられ、下前ベルト部３に第２のボタンホール（玉縁ボタンホール）１２が設けられて、下前ベルト部３内部に設けられた移動布に縫付けられたボタン４（直径１．５ｃｍ）が第２のボタンホール１２から外へ出ており、ボタン４は第２のボタンホール１２内で移動可能となっている。このボタン４を上前ベルト部２のボタンホール６に係合して、下前にファスナーテープＦａが縫付けられたファスナーＦｂを上前に縫付けられた図示しないファスナーと合わせて閉じることによって、婦人用パンツ１１は連続的にウエストサイズが変化してゆったりとした着用感が得られる。そして、第２のボタンホール１２は、ボタン４を上前ベルト部２のボタンホール６に係合することによって隠れるので、見た目は通常のパンツと何等変わるところがない。しかも、図２，図３で詳しく説明したように、ウエストサイズの変化に伴って上前のファスナーテープが移動するため、ウエスト近傍に皺等が生じることもない。
【００５７】
図４（ｂ），（ｃ），（ｄ），（ｅ）は婦人用パンツ１１のバリエーションを示すもので、図４（ｂ）に示されるように、婦人用パンツ１１Ｂはカギホック７，８を取付けないので、婦人用パンツ１Ｂのように持ち出しを付けることもない。なお、第２のボタンホール１２の長さは１．５ｃｍであるため、第２のボタンホール１２は上前ベルト部２に隠されて見えない。図４（ｃ）に示されるように、婦人用パンツ１１Ｃも下前ベルト部３に持ち出しは付けず、上前ベルト部２には三角形のポイント９を設けている。これによって、第２のボタンホール１２の長さは２．０ｃｍであるが、ウエストサイズが変化して上前ベルト部２が移動しても、第２のボタンホール１２はポイント９に隠されて外からは見えない。
【００５８】
また、図４（ｄ）に示されるように、婦人用パンツ１１Ｄも下前ベルト部３に持ち出しは付けず、第２のボタンホール１２の長さが２．５ｃｍとさらに長くなっているにも関わらず、上前ベルト部２にはポイントが設けられていない。したがって、上前ベルト部２の下から第２のボタンホール１２の玉縁ボタンホールの一部が見えてしまうが、この程度なら見えても気にならないという顧客も多いので、婦人用パンツ１１Ｄにおいては敢えて第２のボタンホール１２を隠すことはしていない。さらに、図４（ｅ）に示されるように、婦人用パンツ１１Ｅにおいては下前ベルト部３には持ち出しを付けていない代わりに、上前ベルト部２に４ｃｍの持ち出しを設けている。これによって、第２のボタンホール１２を下前ベルト部３の端からずっと離れた位置に設けることができ、第２のボタンホール１２の長さは１．８ｃｍであるため、第２のボタンホール１２は上前ベルト部２の持ち出し部分に隠されて見えない。
【００５９】
このようにして、本実施の形態１及びその変形例にかかるウエストサイズ調節機構付衣服としての婦人用パンツにおいては、見た目は通常のパンツと変わることなく、連続的にウエストサイズを変化させることができ、ウエストサイズが変化してもファスナーテープが移動することによって、ウエスト周りに皺がよることもない。
【００６０】
次に、本実施の形態１にかかる婦人用パンツ１の製造方法について、図５乃至図１１を参照して説明する。
【００６１】
図５（ａ）に示されるように、下前ベルト部３は、まず下前ベルト布１３の内側になる方の上半分に３ｃｍ幅のインベル芯または硬めの芯１４ａを貼り、下半分に補強用のインベル芯または硬めの芯１４ｂを貼る。本実施の形態１においては、伸びたときの皺防止用のインベル芯または硬めの芯１４ｂを途中まで１．５ｃｍ幅として貼っているが、皺防止用のインベル芯または硬めの芯１４ｂを全長に亘って２．８ｃｍ幅として貼っても良い。次に、２ｃｍの長さの眠り穴かがり（バチ穴）を下前ベルト布１３の表側から開けて、第２のボタンホール５を形成する。
【００６２】
続いて、図５（ｂ）に示されるように、移動布ユニットの材料として幅２ｃｍ・長さ７．５ｃｍの弾性材としてのオペロンゴム１６、幅２．５ｃｍ・長さ９．５ｃｍの伸び止め材１７、そして移動布ユニットの中心となる補強用の硬めの芯１９を貼り付けたテープ布（移動布）１８を用意する。ここで、伸び止め材１７とテープ布１８としては婦人用パンツ１の表地と同系色の裏地を用いて、それぞれの上辺・下辺をロック始末しておく。次に、図６（ａ）に示されるように、オペロンゴム１６、伸び止め材１７、テープ布１８を重ねて、オペロンゴム１６と伸び止め材１７の端をミシンステッチ１６ａで仮止めする。そして、オペロンゴム１６と伸び止め材１７をテープ布１８の縫代で包んで２本のミシンステッチ１８ａを掛ける。
【００６３】
次に、図６（ｂ）に示されるように、補強用の硬めの芯１９の周囲をミシンステッチ１９ａで押えて剥がれないようにし、さらに図６（ｃ）に示されるように、テープ布１８の上に５ｃｍの長さの２本の噴き出し防止テープ２２をセットして、左端から１ｃｍの位置で頑丈にミシンステッチ２２ａを掛けて止める。この段階では、右端から１ｃｍの位置のミシンステッチ２２ｂはまだ掛けないでおく。
【００６４】
ここで、移動布ユニット１５Ａのその他の例を図７に示しておく。図７（ａ）に示されるように、移動布ユニット１５Ｂは伸び止め材１７を筒状に縫って、中にオペロンゴム１６を入れてステッチ１７ａを掛けてシャーリングにしたものである。また、図７（ｂ）に示されるように、移動布ユニット１５Ｃは伸び止め材１７の上下辺をロック始末したものをオペロンゴム１６と合わせてステッチ１７ｂを掛けてシャーリングにしたものである。
【００６５】
さて、次に図８（ａ）に示されるように、図５（ａ）の下前ベルト部３に縦方向の噴き出し防止テープ２１を、前記２本の噴き出し防止テープ２２を通すために、４本のステッチ２１ａで縫付ける。変形例として、図８（ｂ）に示されるように、横方向の噴き出し防止テープ２２を１本としたり、図８（ｃ）に示されるように、３本としても良い。
続いて、図９（ａ）に示されるように、図６（ｃ）の移動布ユニット１５Ａを下前ベルト部３にセットしてオペロンゴム１６と伸び止め材１７の端を２本ステッチ１６ｂで止め、所定位置にボタン４を縫付ける。ここで、図９（ｂ）に示されるように、ボタン４の根巻き４ａの長さは、第２のボタンホール５の中を左右へ移動しやすいために、０．３ｃｍ〜０．５ｃｍにする。
【００６６】
次に、図１０（ａ）に示されるように、右端をまだ止めていない２本の噴き出し防止テープ２２を縦方向の噴き出し防止テープ２１の下を通す。図１０（ｂ）は、伸び止め材１７の長さ一杯までオペロンゴム１６を伸ばした状態を示す図である。これを斜視図で示すと図１０（ｃ）のようになる。後は、図１１（ａ）に示されるように、２本の噴き出し防止テープ２２を右端から１ｃｍの位置のミシンステッチ２２ｂを掛けて止め、婦人用パンツの身頃にウエストベルト布を縫い、移動布１８に縫付けたボタン４を、図１１（ｂ）に示されるように第２のボタンホール５から出して、下前端ベルト布３ａを縫えば完成である。
【００６７】
このようにして、ボタン４に引張り力が掛かってもボタン４が縫付けられた移動布１８が第２のボタンホール５から外へ出てしまう「噴き出し」を防止するために、横方向の２本の噴き出し防止テープ２２と縦方向の噴き出し防止テープ２１が設けられた婦人用パンツ１となる。なお、噴き出し防止テープ２１，２２の素材としては、滑りが良く丈夫なことから、片面繻子テープが好ましい。
【００６８】
図１２（ａ）は、図１（ｅ）で説明した婦人用パンツ１のバリエーションの１つ婦人用パンツ１Ｅの前明を開けた状態を示す斜視図である。上前ベルト部２に４ｃｍの持ち出しが設けられているため、下前ベルト部３には持ち出しを設けなくとも、カギホック７，８を取付けることができる。ここで、強化のため、受構成体としてのメンカン７を２つ並べて取付ける場合もある。また、図１２（ｂ）は、図１（ｃ）で説明した婦人用パンツ１のバリエーションの１つ婦人用パンツ１Ｃの前明を開けた状態を示す斜視図である。この場合には下前ベルト部３に２．５ｃｍの持ち出しを付けて、さらに上前ベルト部２にポイント９を設けることによって、第２のボタンホール５の長さが２．０ｃｍあるにも関わらず、ポイント９に隠されて外からは見えない。この例においても、メンカン７を２つ並べて取付けても良い。
【００６９】
これらの例は、いずれもベルト部の幅が３ｃｍ以上であり、ファスナーテープの移動機構が付いているものである。しかし、ベルト部の幅が３ｃｍ未満の場合には上前ベルト部２にボタンホール６を開けるとファスナーテープの移動のときに引っ掛かってしまうため、図１２（ｃ）に示されるように、上前ベルト部２に持ち出し９ａを付けてボタンホール６を開け、上前ベルト部２には穴を開けないようにする。
【００７０】
実施の形態２
次に、本発明の実施の形態２について、図１３を参照して説明する。本発明の実施の形態２も、本発明のウエストサイズ調節機構付衣服を主に婦人用パンツに適用した場合を例示するものである。
【００７１】
図１３（ａ）は本発明の実施の形態２にかかるウエストサイズ調節機構付衣服の移動布ユニットを裏側から示す図、（ｂ）は噴き出し防止テープを縫付けた状態を示す図、（ｃ）は移動布ユニットを下前ベルト部に取付けた状態を示す図である。
【００７２】
図１３（ａ）に示されるように、本実施の形態２にかかるウエストサイズ調節機構付衣服の移動布ユニット２３Ａは、実施の形態１と同様に、幅２ｃｍ・長さ７．５ｃｍの弾性材としてのオペロンゴム１６、幅２．５ｃｍ・長さ９．５ｃｍの伸び止め材１７、そして移動布ユニットの中心となる補強用の硬めの芯１９を貼り付けたテープ布（移動布）１８から構成されている。ここで、伸び止め材１７とテープ布１８としては婦人用パンツの表地と同系色の裏地を用いて、それぞれの上辺・下辺をロック始末しておく。そして、オペロンゴム１６と伸び止め材１７の端をミシンステッチ１６ａで仮止めする。さらに、補強用の硬めの芯１９の周囲をミシンステッチ１９ａで押えて剥がれないようにし、テープ布１８の上に縦方向に噴き出し防止テープ２４をセットして、上下端にミシンステッチを掛けて止める。
【００７３】
次に、図１３（ｂ）に示されるように、実施の形態１と同様に構成された下前ベルト部３に横方向に噴き出し防止テープ２５をセットして、左端のみステッチ２５ａで縫付けておく。続いて、図１３（ｃ）に示されるように、下前ベルト部３に移動布ユニット２３Ａをセットしてオペロンゴム１６と伸び止め材１７の端を２本ステッチ１６ｂで止め、所定位置にボタン４を縫付ける。そして、左端しか止められていない噴き出し防止テープ２５を噴き出し防止テープ２４と移動布１８の間を通して、右端を下前ベルト部３にステッチ２５ｂで縫付ける。後は、婦人用パンツの身頃にウエストベルト布を縫い、移動布１８に縫付けたボタン４を第２のボタンホール５から出して、下前端ベルト布を縫えば完成である。
【００７４】
以上説明したように、本実施の形態２にかかる婦人用パンツと実施の形態１の婦人用パンツ１の相違点は、噴き出しを防止するための縦テープと横テープのうち、横テープを下前ベルト部３に固定して縦テープを移動布１８の裏側に一体に移動可能に取付けるか、縦テープを下前ベルト部３に固定して横テープを移動布１８の裏側に一体に移動可能に取付けるか、という点にある。いずれにしても、移動布１８の移動をスムーズにするとともに、移動布１８に縫付けられたボタン４に引張り力が掛かった場合でも移動布１８までが第２のボタンホール５から外へ出てしまう噴き出しを防止するという作用効果には変わりがない。
【００７５】
このようにして、本実施の形態２にかかる婦人用パンツにおいては、見た目は通常のパンツと変わることなく、連続的にウエストサイズを変化させることができ、ウエストサイズが変化してもファスナーテープが移動することによって、ウエスト周りに皺がよることもない。また、ボタン４に引張り力が掛かってもボタン４が縫付けられた移動布１８が第２のボタンホール５から外へ出てしまう噴き出しを確実に防止することができる。
【００７６】
実施の形態３
次に、本発明の実施の形態３について、図１４を参照して説明する。
【００７７】
ここでも、本発明の実施の形態３のウエストサイズ調節機構付衣服としては、婦人用パンツの事例として説明するが、キュロットスカート等の各種スカートにおけるウエストサイズ調節機構付スカートについても同様である。
【００７８】
図１４（ａ）は下前ベルト部を開いて移動布の裏側に噴き出し防止テープを縫付けたところを示す図、（ｂ）は噴き出し防止テープを両側で下前ベルト部に縫付けたところを示す図、（ｃ）は噴き出し防止テープにタック状部分を作って折り曲げたところを示す拡大図、（ｄ）は移動布を移動させたときの噴き出し防止テープの変形の様子を示す拡大図である。
【００７９】
図１４（ａ）に示されるように、本実施の形態３においては、移動布１８のボタン４が縫付けられる近傍の裏側に噴き出し防止テープ３５の中心を移動布１８の中心線に合わせて、ミシンステッチ３５ａで縫付ける。次に、図１４（ｂ）に示されるように、噴き出し防止テープ３５を「く」の字形に折り曲げて、両側を下前ベルト部３にミシンステッチ３５ｂで縫付ける。このとき、図１４（ｃ）に示されるように、折り曲げ部分の両側にタック状部分３５ｃを作って折り畳む。これによって、このタック状部分３５ｃがクッションとなって移動布１８の移動が楽になる。移動布１８を弾性材が伸びる方向へ移動させると、図１４（ｄ）に示されるように、タック状部分３５ｃが上下に分散して噴き出し防止テープ３５の弛みが少なくなり、噴き出しが防止される。
【００８０】
このようにして、本実施の形態３にかかる婦人用パンツにおいては、見た目は通常のパンツと変わることなく、連続的にウエストサイズを変化させることができ、ウエストサイズが変化してもファスナーテープが移動することによって、ウエスト周りに皺がよることもない。また、ボタン４に引張り力が掛かってもボタン４が縫付けられた移動布１８が第２のボタンホール５から外へ出てしまう噴き出しを確実に防止することができる。
【００８１】
実施の形態４
次に、本発明の実施の形態４について、図１５を参照して説明する。
【００８２】
図１５（ａ）は下前ベルト部を開いて移動布の裏側に縦横２枚の噴き出し防止テープを縫付けたところを示す図、（ｂ）は縦の噴き出し防止テープを両側で下前ベルト部に縫付けたところを示す図、（ｃ）は横の噴き出し防止テープを移動布の上から下前ベルト部に縫付けたところを示す図である。
【００８３】
図１５（ａ）に示されるように、本実施の形態４においては、移動布１８のボタン４が縫付けられる近傍の裏側に縦の噴き出し防止テープ３５の中心を移動布１８の中心線に合わせてミシンステッチ３５ａで縫付けた後、横の噴き出し防止テープ３６の前中心から遠い側をミシンステッチ３６ａで縫付ける。次に、図１５（ｂ）に示されるように、縦の噴き出し防止テープ３５を「く」の字形に折り曲げて、両側を下前ベルト部３にミシンステッチ３５ｂで縫付ける。そして、図１５（ｃ）に示されるように、移動布１８を平らに置いて、横の噴き出し防止テープ３６とともに、ミシンステッチ３６ｂで下前ベルト部３に縫付ける。
【００８４】
これによって、より強力に噴き出しを防止することができる。このようにして、本実施の形態４にかかる婦人用パンツにおいては、見た目は通常のパンツと変わることなく、連続的にウエストサイズを変化させることができ、ウエストサイズが変化してもファスナーテープが移動することによって、ウエスト周りに皺がよることもない。また、噴き出しをより確実に防止することができる。
【００８５】
ここで、本発明のウエストサイズ調節機構付衣服にかかる実施の形態における様々な移動布ユニットの構成について、図１６を参照して説明する。図１６（ａ）〜（ｊ）は様々な移動布ユニットの構成を示す説明図である。
【００８６】
図１６（ａ）〜（ｃ）に示されるのは、伸び止め材を用いず、弾性材としてのオペロンゴム（以下、単に「ゴム」とも略する。）のみを使用した例で、図１６（ａ）がゴム１６に硬めの芯（以下、単に「芯」とも略する。）１９を移動布としての裏地１８で包んだものを縫付けた構成を示し、図１６（ｂ）がゴム１６を芯１９と重ねて奥まで入れ、裏地１８で包んで縫付けたもの、図１６（ｃ）がやはりゴム１６を芯１９と重ねるが裏地１８で包まないで裏地１８の上下にロック始末しただけの１枚物で縫付けたものを示している。なお、図示省略するが、芯１９と重ねる裏地１８と別布の裏地１８を接いでも良い。
【００８７】
図１６（ｄ）に示されるのは、ゴム１６に伸び止め材１７を併設して、芯１９を移動布としての裏地１８で包んだものを縫付けた構成を示し、このように伸び止め材１７を使用したものにも、図１６（ｂ），（ｃ）に対応する構成がそれぞれ存在する。以下の図１６（ｅ）〜（ｊ）においては伸び止め材を用いない例のみを説明するが、これらにもそれぞれ伸び止め材１７を併設した例が存在する。
【００８８】
図１６（ｅ）はゴム１６の部分に縦方向の噴き出し防止テープ３７を下前ベルト部３に縫付けた構成で、図１６（ｆ）は実施の形態３と同様に移動布１８の裏側に噴き出し防止テープ３８を縫付けて、「く」の字形に折り曲げて両側を下前ベルト部３に縫付けたものである。図１６（ｇ）は実施の形態１と同様に移動布１８の裏側に２本の横方向の噴き出し防止テープ４０の両端を縫付けて、縦方向の噴き出し防止テープ３９の下を潜らせたもの、図１６（ｈ）は同様に２本の横方向の噴き出し防止テープ４１を縫付けて、縦方向の噴き出し防止テープ３８を「く」の字形に折り曲げて縫付けたものである。
【００８９】
図１６（ｉ）は１本の横方向の噴き出し防止テープ４２を移動布１８の裏側に縫付けて、縦方向の噴き出し防止テープ３８を「く」の字形に折り曲げて縫付けたものである。そして、図１６（ｊ）は図１６（ｇ）における２本の横方向の噴き出し防止テープ４０を１本の幅の広い噴き出し防止テープ４４として移動布１８の裏側に両端を縫付けて、縦方向の噴き出し防止テープ４３の下を潜らせたものである。
【００９０】
上記各実施の形態においては、本発明のウエストサイズ調節機構付衣服を婦人用パンツに適用した場合について説明したが、本発明のウエストサイズ調節機構付衣服は衣服全般について適用できるものであり、紳士用ズボン、Ｇパン、綿パン、スカート、ワンピース等にも適用することができる。
【００９１】
また、上記各実施の形態においては、弾性材としてオペロンゴム１６を所定の大きさに裁ち切ったものを用いているが、その他のゴムテープ等を用いても良い。
【００９２】
さらに、上記各実施の形態においては、ウエストサイズの変化に伴ってファスナーテープが移動できるように、ファスナーテープを縫付けるズボン等の上前にタックを設けた例について説明したが、必ずしもウエストサイズの変化に伴ってファスナーテープが移動できる構造でなくても構わない。
【００９３】
ウエストサイズ調節機構付衣服のその他の部分の構造、形状、数量、材質、大きさ、接続関係等についても、上記各実施の形態に限定されるものではない。
【図面の簡単な説明】
【００９４】
【図１】図１（ａ）は本発明の実施の形態１にかかるウエストサイズ調節機構付衣服の前明を外した状態を示す部分正面図、（ｂ），（ｃ），（ｄ），（ｅ）は本発明の実施の形態１にかかるウエストサイズ調節機構付衣服の様々なバリエーションを示す図である。
【図２】図２は本発明の実施の形態１にかかるウエストサイズ調節機構付衣服の上前部分の構造を示す説明図である。
【図３】図３は本発明の実施の形態１にかかるウエストサイズ調節機構付衣服における上前部分に設けられたタックの構造を示す斜視図である。
【図４】図４（ａ）は本発明の実施の形態１の変形例にかかるウエストサイズ調節機構付衣服の前明を外した状態を示す部分正面図、（ｂ），（ｃ），（ｄ），（ｅ）は本発明の実施の形態１の変形例にかかるウエストサイズ調節機構付衣服の様々なバリエーションを示す図である。
【図５】図５（ａ）は本発明の実施の形態１にかかるウエストサイズ調節機構付衣服の下前ベルト部の製造方法を示す図、（ｂ）は移動布ユニットを作製するための部品を示す図である。
【図６】図６（ａ），（ｂ），（ｃ）は本発明の実施の形態１にかかるウエストサイズ調節機構付衣服の移動布ユニットの作製方法を裏側から見て示す図である。
【図７】図７（ａ）は本発明の実施の形態１にかかるウエストサイズ調節機構付衣服の移動布ユニットの変形例を示す図、（ｂ）は別の変形例を示す図である。
【図８】図８（ａ）は本発明の実施の形態１にかかるウエストサイズ調節機構付衣服の噴き出し防止テープの取付け方を示す図、（ｂ），（ｃ）は噴き出し防止テープの変形例を示す図である。
【図９】図９（ａ）は本発明の実施の形態１にかかるウエストサイズ調節機構付衣服の移動布ユニットを取付けた状態を示す図、（ｂ）はボタンの根巻きの高さを示す図である。
【図１０】図１０（ａ）は本発明の実施の形態１にかかるウエストサイズ調節機構付衣服の移動布ユニットと噴き出し防止テープの関係を示す図、（ｂ）はボタンの付いた移動布を弾性材の引張り力に抗して伸び止め材の長さ一杯まで移動させた状態を示す図、（ｃ）はその斜視図である。
【図１１】図１１（ａ）は本発明の実施の形態１にかかるウエストサイズ調節機構付衣服の噴き出し防止テープを縫付けたところを示す図、（ｂ）はボタンを第２のボタンホールから外へ出したところを示す図である。
【図１２】図１２（ａ）は本発明の実施の形態１にかかるウエストサイズ調節機構付衣服の上前ベルト部に持ち出しを付けた例を示す斜視図、（ｂ）は上前ベルト部にポイントを設けた例を示す斜視図、（ｃ）はベルト幅が３ｃｍ未満の場合の上前ベルト部の構成を示す部分図である。
【図１３】図１３（ａ）は本発明の実施の形態２にかかるウエストサイズ調節機構付衣服の移動布ユニットを裏側から示す図、（ｂ）は噴き出し防止テープを縫付けた状態を示す図、（ｃ）は移動布ユニットを下前ベルト部に取付けた状態を示す図である。
【図１４】図１４（ａ）は下前ベルト部を開いて移動布の裏側に噴き出し防止テープを縫付けたところを示す図、（ｂ）は噴き出し防止テープを両側で下前ベルト部に縫付けたところを示す図、（ｃ）は噴き出し防止テープにタック状部分を作って折り曲げたところを示す拡大図、（ｄ）は移動布を移動させたときの噴き出し防止テープの変形の様子を示す拡大図である。
【図１５】図１５（ａ）は下前ベルト部を開いて移動布の裏側に縦横２枚の噴き出し防止テープを縫付けたところを示す図、（ｂ）は縦の噴き出し防止テープを両側で下前ベルト部に縫付けたところを示す図、（ｃ）は横の噴き出し防止テープを移動布の上から下前ベルト部に縫付けたところを示す図である。
【図１６】図１６（ａ）〜（ｊ）は様々な移動布ユニットの構成を示す説明図である。
【符号の説明】
【００９５】
１，１１  ウエストサイズ調節機構付衣服
３  下前のベルト部
４  ボタン
４ａ  根巻き
５，１２  第２のボタンホール
７  受構成体
８  鉤構成体
１６  弾性材
１７  伸び止め材
１８  移動布
２１，２２，２４，２５，３５，３６，３７，
３８，３９，４０，４１，４２，４３，４４  噴き出し防止テープ
３０  タック
３５ｃ  タック状部分
Ｆ  ファスナー
Ｆａ  ファスナーテープ
【図１】
2005139595.tif 000003
【図２】
2005139595.tif 000004
【図３】
2005139595.tif 000005
【図４】
2005139595.tif 000006
【図５】
2005139595.tif 000007
【図６】
2005139595.tif 000008
【図７】
2005139595.tif 000009
【図８】
2005139595.tif 000010
【図９】
2005139595.tif 000011
【図１０】
2005139595.tif 000012
【図１１】
2005139595.tif 000013
【図１２】
2005139595.tif 000014
【図１３】
2005139595.tif 000015
【図１４】
2005139595.tif 000016
【図１５】
2005139595.tif 000017
【図１６】
2005139595.tif 000018